【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】  フラビウイルス科のウイルスによる感染症を治療するための化合物であって、下式：
ＡｗＢｘＣｙＤｚ
（式中、
ＡはＬｉ，Ｎａ，Ｋ，Ｒｂ，またはＣｓ；
ＢはＡｓ，Ｓｂ，またはＢｉ；
Ｃは酸素原子または硫黄原子；
Ｄはモノデント酸配位子、ビデント酸配位子、またはトリデント酸配位子；
ｗは０，１，２，または３；
ｘは１，２，３，または４；
ｙは０，１，２，３，４，または５；
ｚは０，１，２，３，４，または５；および
ｙおよびｚのうち少なくとも１つは０でない）
を有する化合物。
【請求項２】  ｗおよびｚがそれぞれ０である請求項１に記載の化合物。
【請求項３】  ｘは２でｙは３である請求項２に記載の化合物。
【請求項４】  ＢはＡｓである請求項３に記載の化合物。
【請求項５】  ＢはＳｂである請求項３に記載の化合物。
【請求項６】  ＢはＢｉである請求項３に記載の化合物。
【請求項７】  ｙは０である請求項１に記載の化合物。
【請求項８】  Ｄはモノデント酸配位子である請求項７に記載の化合物。
【請求項９】  ＢはＡｓまたはＳｂであり、ｗは０，１，または２である請求項８に記載の化合物。
【請求項１０】  ｘおよびｙがそれぞれ１である請求項２に記載の化合物。
【請求項１１】  フラビウイルス科のウイルスはＣ型肝炎ウイルス、ＧＢウイルス、デングウイルス、日本脳炎ウイルス、セントルイス脳炎ウイルス、西ナイルウイルス、または黄熱ウイルスである請求項１０に記載の化合物。
【請求項１２】  ｘが２または４でかつｙが２，４，または５である請求項２に記載の化合物。
【請求項１３】  フラビウイルス科のウイルスはＣ型肝炎ウイルス、ＧＢウイルス、デングウイルス、日本脳炎ウイルス、セントルイス脳炎ウイルス、西ナイルウイルス、ま
たは黄熱ウイルスである請求項１２に記載の化合物。
【請求項１４】  ｗが１，２，または３でかつｚが０である請求項１に記載の化合物。
【請求項１５】  ｗは１でｙは２である請求項１４に記載の化合物。
【請求項１６】  ＢはＡｓである請求項１５に記載の化合物。
【請求項１７】  ＡはＮａでありＣは酸素原子である請求項１６に記載の化合物。
【請求項１８】  フラビウイルス科のウイルスはＣ型肝炎ウイルスである請求項１、４、５、６、９、および１７のうちいずれか一項に記載の化合物。
【請求項１９】  フラビウイルス科のウイルスはＧＢウイルス、デングウイルス、日本脳炎ウイルス、セントルイス脳炎ウイルス、西ナイルウイルス、または黄熱ウイルスである請求項１、４、５、６、９、および１７のうちいずれか一項に記載の化合物。
【請求項２０】  有効な量のリバビリンと同時に投与されることを特徴とする請求項１、４、５、６、９、および１７のうちいずれか一項に記載の化合物。
【請求項２１】  有効な量のインターフェロンαと同時に投与されることを特徴とする請求項１、４、５、６、９、および１７のうちいずれか一項に記載の化合物。
【請求項２２】  有効な量のリバビリンと同時に投与されることを特徴とする請求項２１に記載の化合物。
【請求項２３】  下式の化合物
ＡｗＢｘＣｙＤｚ
（式中、ＡはＬｉ，Ｎａ，Ｋ，Ｒｂ，またはＣｓ；ＢはＡｓ，Ｓｂ，またはＢｉ；Ｃは酸素原子または硫黄原子；Ｄはモノデント酸配位子、ビデント酸配位子、またはトリデント酸配位子；ｗは０，１，２，または３；ｘは１，２，３，または４；ｙは０，１，２，３，４，または５；ｚは０，１，２，３，４，または５；およびｙおよびｚのうち少なくとも１つは０でない）と、
リバビリンと、
リバビリンと化合物とが各々フラビウイルス科のウイルスによる感染症を治療するのに有効な量であることと、から成る医薬組成物。
【請求項２４】  化合物はＡｓ２Ｏ３，ＮａＡｓＯ２，またはＳｂ２Ｏ３である請求項２３に記載の組成物。
【請求項２５】  下式の化合物
ＡｗＢｘＣｙＤｚ
（式中、ＡはＬｉ，Ｎａ，Ｋ，Ｒｂ，またはＣｓ；ＢはＡｓ，Ｓｂ，またはＢｉ；Ｃは酸素原子または硫黄原子；Ｄはモノデント酸配位子、ビデント酸配位子、またはトリデント酸配位子；ｗは０，１，２，または３；ｘは１，２，３，または４；ｙは０，１，２，３，４，または５；ｚは０，１，２，３，４，または５；およびｙおよびｚのうち少なくとも１つは０でない）と、
インターフェロンαと、
インターフェロンαと化合物とが各々フラビウイルス科のウイルスによる感染症を治療するのに有効な量であることと、から成る医薬組成物。
【請求項２６】  化合物はＡｓ２Ｏ３，ＮａＡｓＯ２，またはＳｂ２Ｏ３である請求項２５に記載の組成物。
【請求項２７】  前記感染症を治療するために有効な量のリバビリンからさらに成る請求項２６に記載の組成物。
【請求項２８】  化合物はＡｓ２Ｏ３，ＮａＡｓＯ２，またはＳｂ２Ｏ３である請求項２７に記載の組成物。
【請求項２９】  下式の化合物
ＡｗＢｘＣｙＤｚ
（式中、ＡはＬｉ，Ｎａ，Ｋ，Ｒｂ，またはＣｓ；ＢはＡｓ，Ｓｂ，またはＢｉ；Ｃは酸素原子または硫黄原子；Ｄはモノデント酸配位子、ビデント酸配位子、またはトリデント酸配位子；ｗは０，１，２，または３；ｘは１，２，３，または４；ｙは０，１，２，
３，４，または５；ｚは０，１，２，３，４，または５；およびｙおよびｚのうち少なくとも１つは０でない）と、
リバビリンと、
化合物とリバビリンとが各々フラビウイルス科のウイルスによる感染症を治療するのに有効な量であることと、から成るフラビウイルス科のウイルスによる感染症を治療するためのキット。
【請求項３０】  化合物はＡｓ２Ｏ３，ＮａＡｓＯ２，またはＳｂ２Ｏ３である請求項２９に記載のキット。
【請求項３１】  フラビウイルス科のウイルスはＣ型肝炎ウイルスである請求項２９に記載のキット。
【請求項３２】  フラビウイルス科のウイルスはＧＢウイルス、デングウイルス、日本脳炎ウイルス、セントルイス脳炎ウイルス、西ナイルウイルス、または黄熱ウイルスである請求項２９に記載のキット。
【請求項３３】  下式の化合物：
ＡｗＢｘＣｙＤｚ
（式中、ＡはＬｉ，Ｎａ，Ｋ，Ｒｂ，またはＣｓ；ＢはＡｓ，Ｓｂ，またはＢｉ；Ｃは酸素原子または硫黄原子；Ｄはモノデント酸配位子、ビデント酸配位子、またはトリデント酸配位子；ｗは０，１，２，または３；ｘは１，２，３，または４；ｙは０，１，２，３，４，または５；ｚは０，１，２，３，４，または５；およびｙおよびｚのうち少なくとも１つは０でない）と、
インターフェロンαと、
化合物とインターフェロンαとが各々フラビウイルス科のウイルスによる感染症を治療するのに有効な量であることと、から成るフラビウイルス科のウイルスによる感染症を治療するためのキット。
【請求項３４】  化合物はＡｓ２Ｏ３，ＮａＡｓＯ２，またはＳｂ２Ｏ３である請求項３３に記載のキット。
【請求項３５】  フラビウイルス科のウイルスはＣ型肝炎ウイルスである請求項３３に記載のキット。
【請求項３６】  フラビウイルス科のウイルスはＧＢウイルス、デングウイルス、日本脳炎ウイルス、セントルイス脳炎ウイルス、西ナイルウイルス、または黄熱ウイルスである請求項３３に記載のキット。
【請求項３７】  前記感染症を治療するために有効な量のリバビリンからさらに成る請求項３３に記載のキット。
【請求項３８】  容器と、
下式の化合物
ＡｗＢｘＣｙＤｚ
（式中、ＡはＬｉ，Ｎａ，Ｋ，Ｒｂ，またはＣｓ；ＢはＡｓ，Ｓｂ，またはＢｉ；Ｃは酸素原子または硫黄原子；Ｄはモノデント酸配位子、ビデント酸配位子、またはトリデント酸配位子；ｗは０，１，２，または３；ｘは１，２，３，または４；ｙは０，１，２，３，４，または５；ｚは０，１，２，３，４，または５；およびｙおよびｚのうち少なくとも１つは０でない）と、
容器に添付されるフラビウイルス科のウイルスによる感染症の治療のための化合物の投与について表示する説明文とから成る包装製品。
【請求項３９】  化合物はＡｓ２Ｏ３，ＮａＡｓＯ２，またはＳｂ２Ｏ３である請求項３８に記載の包装製品。
【請求項４０】  フラビウイルス科のウイルスはＣ型肝炎ウイルスである請求項３８に記載の包装製品。
【請求項４１】  フラビウイルス科のウイルスはＧＢウイルス、デングウイルス、日本脳炎ウイルス、セントルイス脳炎ウイルス、西ナイルウイルス、または黄熱ウイルスである請求項３８に記載の包装製品。